(57)【特許請求の範囲】
【請求項１】
上下枠と左右の縦枠を枠組みしてなる枠体に、上下框と左右の縦框を框組みしてなる框体を有する内障子と外障子を納めてなるサッシにおいて、
前記下枠は、前記内障子と外障子を該内障子と外障子に取付いた樹脂製の戸車によりそれぞれ長手方向に沿って案内するレール部と、該レール部より室内側に形成され前記内障子または外障子の室内側面と対向する障子対向部とを有し、
前記下框は、前記樹脂製の戸車が取付く外周面の前記下枠のレール部より上方に、前記下枠のレール部と対向する横傾斜面部を有し、該横傾斜面部は金属材により形成されると共に、室外内周側から室内外周側に向かう傾斜面状に形成されることを特徴とするサッシ。
【請求項２】
前記下框には前記横傾斜面部を有する傾斜面部材が取付けられてなることを特徴とする請求項１記載のサッシ。
【請求項３】
前記外障子の下框には外周面に外れ止め部品が取付けられ、該外れ止め部品は先端部に室内側に向かって伸びる外れ止め部が設けられると共に、該外れ止め部の上方に前記横傾斜面部が形成されることを特徴とする請求項１記載のサッシ。
【請求項４】
前記下框には外周面に補強部品が取付けられ、該補強部品に前記横傾斜面部が形成されることを特徴とする請求項１記載のサッシ。
【請求項５】
前記下框の外周面から突出する突片を一体的に形成し、該突片に前記横傾斜面部が形成されることを特徴とする請求項１記載のサッシ。
【発明の詳細な説明】
【技術分野】
【０００１】
本発明は、建物開口部に設けられる枠体内に内外障子を納めたサッシに関し、特に火災発生時において高温に晒されても枠体と障子の位置関係を保つことで隙間を発生させないようにしたサッシに関する。
【背景技術】
【０００２】
建物開口部に設けられるサッシにおいて、枠体内に内外障子を引き違い状に納めてなる引き違いサッシが広く用いられている。引き違いサッシを含むサッシには、火災が発生した場合にも、一定時間以上、閉塞状態を維持する防火性能が求められる。防火性能を十分に確保するためには、サッシが高温に晒されたとしても、サッシを構成する枠体と障子との位置関係をそのままに保つことで、枠体と障子の間に隙間を生じさせないようにすることが重要である。
【０００３】
サッシには、樹脂製のサッシはもちろんのこと、金属製のサッシにおいても、樹脂部材が各所に用いられている。このような樹脂部材は、火災時の高温に晒されると溶融するから、樹脂部材が溶融しても枠体と障子の位置関係が保たれるようにする必要がある。樹脂サッシにおいては、例えば枠体側と障子側にそれぞれ金属製の部品を設け、火災発生時にはそれらが掛かり合うようにすることで、障子の脱落を防ぐようにしたものが知られている。このようなサッシとしては、例えば特許文献１に挙げるようなものがある。
【先行技術文献】
【特許文献】
【０００４】
【特許文献１】特開２０１０−２６５６４６号公報
【発明の概要】
【発明が解決しようとする課題】
【０００５】
金属製のサッシにおいては、火災時に高温に晒されることで熱膨張が生じ、枠体を構成する枠材や障子を構成する框材が大きく伸びる現象が発生する。枠材や框材の端部に隙間がある場合には、これらの部材は長手方向に伸びていくが、隙間がない場合には、それ以上伸びることができないため、反りが発生して部材が屈曲する。このような屈曲が発生すると、枠体と障子の間には隙間が生じるから、その隙間から火炎が侵入し、防火性能を十分に確保することができない。
【０００６】
引き違いサッシの障子を構成する下框には、下枠に形成されるレール部を走行自在な戸車が設けられ、室内側面は下枠の長手方向に沿って設けられる気密材に当接することで、気密性を確保するようにしている。通常時には、下框は戸車を介して下枠に支持されており、室内外方向の振れが規制されて確実に気密材に対し当接する。
【０００７】
しかし、戸車は通常、樹脂製であり、火災発生時の高温に晒されることで溶融する。戸車が溶融すると、その分、障子が下方に落ちると共に、下端部の支えがなくなって不安定となるから、障子が傾斜し、隙間を生じて、防火性能を低下させることとなる。
【０００８】
本発明は前記課題を鑑みてなされたものであり、サッシの障子を構成する下框について、火災発生時に戸車が溶融しても室内外方向の振れを防止して確実に室内側面を縦枠の気密材に当接した状態を維持し、隙間の発生を防止することのできるサッシを提供することを目的とする。
【課題を解決するための手段】
【０００９】
前記課題を解決するため、本発明に係るサッシは、上下枠と左右の縦枠を枠組みしてなる枠体に、上下框と左右の縦框を框組みしてなる框体を有する内障子と外障子を納めてなるサッシにおいて、
前記下枠は、前記内障子と外障子を該内障子と外障子に取付いた樹脂製の戸車によりそれぞれ長手方向に沿って案内するレール部と、該レール部より室内側に形成され前記内障子または外障子の室内側面と対向する障子対向部とを有し、
前記下框は、前記樹脂製の戸車が取付く外周面の前記下枠のレール部より上方に、前記下枠のレール部と対向する横傾斜面部を有し、該横傾斜面部は金属材により形成されると共に、室外内周側から室内外周側に向かう傾斜面状に形成されることを特徴として構成されている。
【００１０】
また、本発明に係るサッシは、前記下框には前記横傾斜面部を有する傾斜面部材が取付けられてなることを特徴として構成されている。
【００１１】
さらに、本発明に係るサッシは、前記外障子の下框には外周面に外れ止め部品が取付けられ、該外れ止め部品は先端部に室内側に向かって伸びる外れ止め部が設けられると共に、該外れ止め部の上方に前記横傾斜面部が形成されることを特徴として構成されている。
【００１２】
さらにまた、本発明に係るサッシは、前記下框には外周面に補強部品が取付けられ、該補強部品に前記横傾斜面部が形成されることを特徴として構成されている。
【００１３】
そして、本発明に係るサッシは、前記下框の外周面から突出する突片を一体的に形成し、該突片に前記横傾斜面部が形成されることを特徴として構成されている。
【発明の効果】
【００１４】
本発明に係るサッシによれば、下框の外周面に下枠のレール部と対向する横傾斜面部を設け、横傾斜面部は金属材により形成され、室外内周側から室内外周側に向かう傾斜面状に形成されることにより、火災時にサッシが高温に晒され、戸車が溶融して障子下端の支持が失われた場合にも、横傾斜面部が下枠のレール部に当接して障子を室内側に押し付けることができるから、下框の室内外方向への振れを防止して下枠の障子対向部に対する下框の当接状態を維持し、下枠と下框の間に隙間を生じないようにすることができ、防火性能を高くすることができる。
【００１５】
また、本発明に係るサッシによれば、下框には横傾斜面部を有する傾斜面部材が取付けられてなることにより、下框に容易に横傾斜面部を設けることができる。
【００１６】
さらに、本発明に係るサッシによれば、下框に設けられる外れ止め部の上方に横傾斜面部が形成されることにより、元々取付けられる部品に横傾斜面部を設けることができるので、部品点数の削減を図ることができる。
【００１７】
さらにまた、本発明に係るサッシによれば、下框には外周面に補強部品が取付けられ、補強部品に横傾斜面部が形成されることにより、元々取付けられる部品に横傾斜面部を設けることができるので、部品点数の削減を図ることができる。
【００１８】
そして、本発明に係るサッシによれば、下框の外周面から突出する突片を一体的に形成し、突片に横傾斜面部が形成されることにより、横傾斜面部のための部品を別途設ける必要がないので、部品点数の削減を図ることができる。
【図面の簡単な説明】
【００１９】
【図１】本実施形態のサッシの縦断面図である。
【図２】本実施形態のサッシの横断面図である。
【図３】下枠付近の拡大縦断面図である。
【図４】傾斜面部材の平面図である。
【図５】火災発生時の状態における下枠付近の拡大縦断面図である。
【図６】第２の実施例にかかる横傾斜面部を含む下枠付近の拡大縦断面図である。
【図７】図３の実施例にかかる横傾斜面部を含む下枠付近の拡大縦断面図である。
【図８】第４の実施例にかかる横傾斜面部を含む下枠付近の拡大縦断面図である。
【図９】召合わせ框と縦框下振止部品及び縦框下端金属部品を実線で表した下枠付近の拡大縦断面図である。
【図１０】召合わせ框が表れた下枠付近の拡大縦断面図である。
【発明を実施するための形態】
【００２０】
本発明の実施形態について図面に沿って詳細に説明する。図１には本実施形態のサッシの縦断面図を、図２には本実施形態のサッシの横断面図を、それぞれ示している。これら各図に示すように、本実施形態のサッシは、建物開口部に取付けられる枠体１内に、内障子２と外障子３を引き違い状に納めてなる引き違いサッシである。
【００２１】
枠体１は、いずれも金属材からなる上枠１０と下枠１１及び左右の縦枠１２、１２を方形状に枠組みして構成されている。内障子２と外障子３は、それぞれいずれも金属材からなる上框２０と下框２１、縦框２２及び召合わせ框２３を方形状に框組みしてなる框体４内に、ガラス板からなるパネル体５を納めて構成されている。
【００２２】
枠体１を構成する上枠１０は、内周面１０ａの室内外端部からそれぞれ垂直方向に伸びる室内側面１０ｂと室外側面１０ｃを備え、これら室内側面１０ｂと室外側面１０ｃの間には、内障子２の上辺を長手方向に案内する内上レール部１０ｄと、外障子３の上辺を長手方向に案内する外上レール部１０ｅとが、それぞれ内周面１０ａから突出状に形成されている。
【００２３】
枠体１を構成する下枠１１は、内周面１１ａが室内外方向に段差を有するように形成されており、室内側が高く、室外側が低くなっている。この内周面１１ａのうち高い側の室内側には、内障子２の下辺を長手方向に案内する内レール部１１ｂが、内周面１１ａのうち低い側の室外側には、外障子３の下辺を長手方向に案内する外レール部１１ｃが、それぞれ突出状に形成されている。
【００２４】
下枠１１の室内側面には、内障子２を構成する下框２１の室内側面と対向する内障子対向部１１ｄが形成され、その先端部には気密材１１ｆが設けられて、この気密材１１ｆが内障子２の室内側面に当接することで、内障子２下辺の気密性を確保している。また、下枠１１には、内レール部１１ｂの下部から室外側に突出し外障子３を構成する下框２１の室内側面と対向する外障子対向部１１ｅが形成され、その先端部には気密材１１ｆが設けられて、この気密材１１ｆが外障子３の室内側面に当接することで、外障子３下辺の気密性を確保している。
【００２５】
枠体１を構成する縦枠１２は、内周面１２ａの室内外端部からそれぞれ垂直方向に伸びる室内側面１２ｂと室外側面１２ｃを備えている。縦枠１２のうち、閉じた状態の内障子２が配置される側の内周面１２ａには、内障子２の外周面に向かって突出する中間フィン部１２ｄが形成されている。また、室内側面１２ｂを構成する面のうち内周面１２ａより見付方向内側に突出する部分は、内障子２を構成する縦框２２の室内側面と対向する室内フィン部１２ｆとなっている。室内フィン部１２ｆの先端部には、気密材１２ｇが設けられて内障子２の室内側面に当接し、内障子２縦辺の気密性を確保している。
【００２６】
縦枠１２のうち、閉じた状態の外障子３が配置される側の内周面１２ａには、外障子３の外周面に向かって突出する中間フィン部１２ｄが形成されている。また、中間フィン部１２ｄより室内側の内周面１２ａからは、外障子３を構成する縦框２２の室内側面と対向する室内フィン部１２ｆが突出しており、その先端部には気密材１２ｇが設けられて外障子３の室内側面に当接し、外障子３縦辺の気密性を確保している。
【００２７】
框体４を構成する上框２０は、内周側にはパネル体５の端部を納めるパネル飲込部２０ａを有し、外周側には上枠１０の内上レール部１０ｄまたは外上レール部１０ｅを飲み込んで案内されるレール案内部２０ｂを有している。レール案内部２０ｂは断面凹状となっており、その開口付近には室内外にそれぞれ気密材２０ｃが設けられていて、これらが内上レール部１０ｄまたは外上レール部１０ｅに当接することで、内障子２及び外障子３上辺の気密性を確保している。
【００２８】
框体４を構成する下框２１は、内周側にパネル体５の端部を納めるパネル飲込部２１ａを有している。下框２１の外周側、すなわち下端部には戸車２１ｄが設けられており、戸車２１ｄが下枠１１の内レール部１１ｂまたは外レール部１１ｃに載置されることにより、内障子２や外障子３を移動自在としている。
【００２９】
下框２１の室内側面には、下端部が下方に延出された室内面延出部２１ｂが形成されている。内障子２の室内面延出部２１ｂは下枠１１の内障子対向部１１ｄと対向し、外障子３の室内面延出部２１ｂは下枠１１の外障子対向部１１ｅと対向して、気密材１１ｆに当接する。下框２１の室外側面にも、下端部が下方に延出された室外面延出部２１ｃが形成されている。室外面延出部２１ｃは、内レール部１１ｂまたは外レール部１１ｃの上端より下方まで延出されており、風雨の室内側への吹き込みを防止している。
【００３０】
框体４を構成する縦框２２は、内周側にパネル体５の端部を納めるパネル飲込部２２ａを有している。縦框２２の外周側には縦枠１２の中間フィン部１２ｄを飲み込む凹状のフィン飲込部２２ｃが形成されている。フィン飲込部２２ｃを構成する室内側面は、縦枠１２の室内フィン部１２ｆに設けられる気密材１２ｇに対して当接し、これによって内障子２及び外障子３縦辺の気密性を確保している。
【００３１】
縦框２２のパネル飲込部２２ａには、長手方向中間位置の室内側部分に、樹脂製のピース状からなる縦引き寄せ部材２５が設けられている。縦引き寄せ部材２５は、内障子２または外障子３が閉じた状態で、パネル飲込部２２ａの室内側面と縦枠１２の中間フィン部１２ｄとに挟まれる形状を有しており、内障子２または外障子３を閉じた際に、縦框２２が室内外方向に振れないようにすると共に、内障子２または外障子３を室内側に引き寄せて、縦框２２が確実に縦枠１２の気密材１２ｇに当接するようにしている。
【００３２】
框体４を構成する召合わせ框２３は、内周側にパネル体５の端部を納めるパネル飲込部２３ａを有している。また、外障子３を構成する召合わせ框２３の室内側壁部２３ｂと、内障子２を構成する召合わせ框２３の室外側壁部２３ｃには、それぞれ略Ｌ字状に形成され内障子２と外障子３が閉じた状態で互いに噛み合う煙返し部２３ｇが形成されている。また、内障子２を構成する召合わせ框２３の室外側壁部２３ｃには、気密材２３ｈが設けられている。煙返し部２３ｇによって、内障子２と外障子３の召合わせ部分における隙間が塞がれ、さらに気密材２３ｈによって召合わせ辺の気密性を確保している。
【００３３】
次に、下框２１における防火性能の確保について詳細に説明する。火災が発生してサッシが高温に晒されると、下框２１に設けられている樹脂製の戸車２１ｄは溶融するから、そのままでは内障子２や外障子３の下端部の支えがなくなって不安定となり、下枠１１と下框２１の間に隙間を生じ、防火性能を低下させる。そこで、本実施形態では、戸車２１ｄが溶融しても、下框２１を室内側に引き寄せた状態を維持することにより、隙間の発生を防止し、防火性能を確保しようとしている。
【００３４】
図３には、下枠１１付近の拡大縦断面図を示している。図１の縦断面図は、戸車２１ｄが表れる断面図であるが、図３はそれと異なる位置における断面図である。図３に示すように、下框２１の外周面部２１ｅには、金属製の傾斜面部材２４が取付けられている。傾斜面部材２４は、ピース状の部材からなり、下框２１の長手方向に沿って戸車２１ｄと干渉しないように複数設けられる。
【００３５】
傾斜面部材２４は、下框２１の外周面部２１ｅに対して当接し固定される基部２４ａと、基部２４ａから下方に垂下される垂下部２４ｂとを有して構成されている。垂下部２４ｂは、上下方向中間位置に室外内周側から室内外周側に向かう傾斜面状の横傾斜面部２４ｃを有しており、横傾斜面部２４ｃは下枠１１の内レール部１１ｂまたは外レール部１１ｃと対向する。また、垂下部２４ｂの横傾斜面部２４ｃより先端側は、下枠１１の内レール部１１ｂまたは外レール部１１ｃの室内側面と対向する。
【００３６】
図４には傾斜面部材２４の平面図を示している。この図に示すように、基部２４ａには下框２１の外周面部２１ｅにネジ止め固定するための固定孔部２４ｅが設けられ、基部２４ａの一辺中央部が切り欠かれて、その切欠部分に垂下部２４ｂが形成されている。
【００３７】
また、図３に示すように、外障子３には、傾斜面部材２４の基部２４ａに固定され、そこから下方に垂下されて下框２１の室外面延出部２１ｃに近接対向する保持部材２４ｄが設けられる。下框２１の室外面延出部２１ｃの内面側には、長手方向に沿って加熱発泡剤２７が設けられている。
【００３８】
加熱発泡剤２７は、所定温度以上になると発泡して体積が数十倍に増加するものであり、火災発生時にサッシが高温に晒されるのに伴い、発泡して下框２１の下部を塞ぎ、溶融した戸車２１ｄによる樹脂材の流出を防止することができる。加熱発泡剤２７は垂直面である室外面延出部２１ｃに保持されているので、火災発生時に脱落するおそれがあるが、その場合にも保持部材２４ｄによって保持されるので、確実に下框２１の下部に向かって発泡させることができる。また、内障子２の室外面延出部２１ｃの内面側にも、加熱発泡剤２８が設けられ、戸車２１ｄによる樹脂材の流出を防止する。
【００３９】
火災が発生してサッシが高温に晒されると、前述のように樹脂製の戸車２１ｄは溶融し、内障子２と外障子３は下端部の支えを失う。このため、下框２１は下枠１１側に向かって移動する。図５には、火災発生時の状態における下枠１１付近の拡大縦断面図を示している。
【００４０】
図５に示すように、火災発生時においても、金属材からなる傾斜面部材２４はそのまま下框２１に固定されている。下框２１が下枠１１の内周面１１ａ側に移動すると、傾斜面部材２４の横傾斜面部２４ｃが内レール部１１ｂまたは外レール部１１ｃの先端部に当接し、内障子２と外障子３の自重によって下框２１がさらに下枠１１の内周面１１ａ側に移動するのに伴い、横傾斜面部２４ｃの傾斜方向に沿って下框２１が内レール部１１ｂまたは外レール部１１ｃによって室内側に押圧される。
【００４１】
最終的には図５に示すように、垂下部２４ｂのうち横傾斜面部２４ｃの上側の垂直面部分が、内レール部１１ｂまたは外レール部１１ｃを押圧した状態となり、これによって内障子２では、下框２１の室内側面が下枠１１の内障子対向部１１ｄに設けられる気密材１１ｆに押し付けられ、外障子３では、下框２１の室内側面が下枠１１の外障子対向部１１ｅに設けられる気密材１１ｆに押し付けられる。したがって、下框２１と下枠１１の間に隙間を生じないようにすることができる。すなわち、下框２１における防火性能を保つことができる。
【００４２】
このように、下框２１の外周面部２１ｅに横傾斜面部２４ｃを設けて、下枠１１の内レール部１１ｂまたは外レール部１１ｃに対向させるようにしたことにより、簡易な構成で確実な下框２１の室内側への引き寄せを実現することができる。また、通常時には横傾斜面部２４ｃは内レール部１１ｂまたは外レール部１１ｃと離隔しているので、戸車２１ｄによる走行を阻害することもないようにすることができる。
【００４３】
特に、本実施形態のサッシは、框体４が強風等により撓むことも考慮して、枠体１と内障子２及び外障子３との間のクリアランスを大きめに設定しているが、内レール部１１ｂまたは外レール部１１ｃと対向する横傾斜面部２４ｃを下框２１に設けたことによって、クリアランスが大きくても下框２１を確実に室内側に引き寄せて、隙間の発生を防止することができる。また、枠体１と内障子２及び外障子３との間の縦方向のクリアランスについては、戸車２１ｄの高さ調整を行っても互いに干渉しないように設定されている。
【００４４】
横傾斜面部は、別の形態を採ることも可能である。図６には、第２の実施例にかかる横傾斜面部を含む下枠１１付近の拡大縦断面図を示している。図６では、外障子３の下框２１に設けられる外れ止め部品２５に横傾斜面部２５ｃを設けている。外れ止め部品２５は、下框２１の外周面部２１ｅに当接して固定される基部２５ａと、基部２５ａから下方に垂下される垂下部２５ｂと、垂下部２５ｂの下端部に設けられる外れ止め部２５ｄとを有して構成されており、下框２１の長手方向中央位置に設けられる。
【００４５】
外れ止め部２５ｄは、垂下部２５ｂの下端部から室内側に張り出すように形成されており、下枠１１の外障子対向部１１ｅの下部に潜り込むように配置される。これにより、外障子３が何らかの原因で持ち上がろうとした際に、外れ止め部２５ｄが外障子対向部１１ｅに干渉するため、外障子３が下枠１１の外レール部１１ｃから外れないようにすることができる。
【００４６】
図６において、横傾斜面部２５ｃは、外れ止め部品２５を構成する垂下部２５ｂの上下方向中間位置に形成されている。内障子２では、図３と同様に傾斜面部材２４が設けられており、その垂下部２４ｂに横傾斜面部２４ｃが形成されている。このように、垂下部２５ｂを有する外れ止め部品２５に横傾斜面部２５ｃを形成することによっても、傾斜面部材２４を下框２１に設ける場合と同様の効果を得ることができる。
【００４７】
図７には、図３の実施例にかかる横傾斜面部を含む下枠１１付近の拡大縦断面図を示している。図７では、内障子２の下框２１に設けられる補強部品２６に横傾斜面部２６ｃを設けている。補強部品２６は、下框２１の強度を大きくしたい場合に設けられる金属製の部品であって、下框２１の外周面部２１ｅに対して当接し固定される基部２６ａと、基部２６ａから垂下されて下框２１の室外面延出部２１ｃに沿う垂下部２６ｂとを有している。この垂下部２６ｂの一部を室内側に向かって折り曲げ加工することで、横傾斜面部２６ｃを形成している。なお、外障子３の下框２１には傾斜面部材２４が設けられている。
【００４８】
図６や図７のように、外れ止め部品２５や補強部品２６に横傾斜面部を形成することにより、下框２１に元々設けられる部品に横傾斜面部を形成できるので、横傾斜面部のために新たに部品を設ける必要がなく、部品点数の削減を図ることができる。
【００４９】
また、横傾斜面部は下框２１と一体的に形成することもできる。図８には、第４の実施例にかかる横傾斜面部を含む下枠１１付近の拡大縦断面図を示している。この図に示すように、内障子２と外障子３の下框２１には、それぞれ外周面部２１ｅから突出する突片２１ｆが形成され、この突片２１ｆに横傾斜面部２１ｇが形成されており、内レール部１１ｂまたは外レール部１１ｃと対向している。
【００５０】
このように下框２１に一体的に形成された横傾斜面部２１ｇによっても、これまでの実施例における横傾斜面部と同様の機能を果たすことができる。そして、横傾斜面部２１ｇを下框２１に一体形成していることにより、横傾斜面部のための部品を別途設ける必要がないので、部品点数の削減を図ることができる。
【００５１】
外障子３を構成する召合わせ框２３の下端部では、内レール部１１ｂや外レール部１１ｃに案内されるために設けられる部品に対し取付けられる金属部品により、振止めをなしている。図９には、下枠１１付近の拡大縦断面図を示している。この図では、外障子３の下框２１を破線で示し、召合わせ框２３と縦框下振止部品３０及び縦框下端金属部品３１を実線で示している。縦框下振止部品３０は、召合わせ框２３の下端部中空内部に設けられ、下枠１１の外レール部１１ｃを跨ぐ摺接部３０ａを下面側に有している。摺接部３０ａは、外レール部１１ｃに対して摺接し、外障子３を外レール部１１ｃに沿って円滑に案内する。
【００５２】
縦框下振止部品３０には、２つの加熱発泡剤３２、３３を載置できる支持部３０ｂ、３０ｃが形成されている。支持部３０ｂ、３０ｃに載置される加熱発泡剤３２、３３の上面側は、縦框下振止部品３０の上方に設けられる縦框下端金属部品３１の被覆金属部３１ａ、３１ｂによって覆われている。縦框下端金属部品３１は、被覆金属部３１ｂから上方に向かって伸びる垂直面部３１ｄを有しており、この垂直面部３１ｄにも加熱発泡剤３４が設けられる。
【００５３】
縦框下端金属部品３１の被覆金属部３１ａ、３１ｂの間は、傾斜面状の横傾斜面部３１ｃとなっており、これが下枠１１の外レール部１１ｃと対向している。火災発生時に下框２１が下枠１１の内周面１１ａに近づくと、横傾斜面部３１ｃは外レール部１１ｃによって室内側に押圧され、召合わせ框２３の室内側面が下枠１１の外障子対向部１１ｅに設けられる気密材１１ｆに当接した状態を維持することができる。このように、外障子３の召合わせ框２３においては、縦框下端金属部品３１の横傾斜面部３１ｃによって、火災発生時に下框２１が下枠１１側に移動した際の室内側への引き寄せをなすことができる。
【００５４】
また、内障子２と外障子３の縦框２２及び召合わせ框２３の下端部では、内周壁部及び外周壁部に形成される形状によって引き寄せをなしている。図１０には、召合わせ框２３の形状が表れた下枠１１付近の拡大断面図を示している。召合わせ框２３の下端部には、内周壁部２３ｄと外周壁部２３ｅにそれぞれ略Ｕ字状の切欠部２３ｋが形成される。なお、図１０では召合わせ框２３について説明しているが、縦框２２についても同様の構成となっている。
【００５５】
この切欠部２３ｋには、内障子２と外障子３いずれも、室内上端部付近が盛り上がる凸状部２３ｍが形成されており、切欠部２３ｋの最奥部は室外側に偏った形状となっている。このため、火災発生時に下框２１が下枠１１の内周面１１ａに近づくと、凸状部２３ｍが内レール部１１ｂまたは外レール部１１ｃに当接することにより、内障子２と外障子３はいずれも室内側に引き寄せられる。これにより、下框２１だけでなく召合わせ框２３の部分においても、框体４を下枠１１の内障子対向部１１ｄ及び外障子対向部１１ｅにそれぞれ設けられる気密材１１ｆに当接した状態を維持することができる。
【００５６】
図１０では、召合わせ框２３の切欠部２３ｋに凸状部２３ｍを形成して、火災発生時における框体４の引き寄せを行うこととしたが、召合わせ框２３の切欠部２３ｋはＵ字状に形成しておき、召合わせ框２３の内周壁部２３ｄ及び外周壁部２３ｅに、切欠部と凸状部を有する形状のプレートを固定することによっても、同様の機能を持たせることができる。
【００５７】
以上、本発明の実施形態について説明したが、本発明の適用は本実施形態には限られず、その技術的思想の範囲内において様々に適用されうるものである。例えば、本実施形態では内外障子２、３が枠体１内に引き違い状に納められるものとしたが、内外障子２、３のいずれかが枠体１に固定された片引きサッシであっても、同様に本発明を適用できる。
【符号の説明】
【００５８】
１    枠体
２    内障子
３    外障子
４    框体
５    パネル体
１０    上枠
１１    下枠
１１ｂ  内レール部
１１ｃ  外レール部
１１ｆ  気密材
１２    縦枠
２０    上框
２１    下框
２２    縦框
２３    召合わせ框
２４    傾斜面部材
２４ａ  基部
２４ｂ  垂下部
２４ｃ  横傾斜面部
２５    外れ止め部品
２６    補強部品
２７    加熱発泡剤
【図１】
0005961368.tif 000002
【図２】
0005961368.tif 000003
【図３】
0005961368.tif 000004
【図４】
0005961368.tif 000005
【図５】
0005961368.tif 000006
【図６】
0005961368.tif 000007
【図７】
0005961368.tif 000008
【図８】
0005961368.tif 000009
【図９】
0005961368.tif 000010
【図１０】
0005961368.tif 000011